(57)【要約】      （修正有）【課題】上蓋を開封した事実が明確に示されるヒンジキャップを提供する。【解決手段】上蓋２のスカート部３４の外面の下方部分には、ヒンジ連結部分とは反対側に突片４５が形成されており、突片の下面には、開封明示用弾性部材５０が破断可能なブリッジ５７により連結されており、開封明示用弾性部材は、互いに一体的に連なっている一対の係止ロッド５３からなり、係止ロッドは、それぞれ、下方に延びている基部５３ａと、基部の下端に連なり且つ上方に向かって基部から遠ざかるように延びている係止部５３ｂとからなり、キャップ本体１の筒状側壁６の外面には、上蓋を閉じたときに開封明示用弾性部材が位置する部分に、開封明示用弾性部材の降下は許容するが、開封明示用弾性部材の係止部との係合により上蓋を開放する際の開封明示用弾性部材の上昇を規制し且つ上蓋から切り離された開封明示用弾性部材を保持するための支持規制部材５１が設けられている。【選択図】図６
2010235146.tif 000002
【特許請求の範囲】
【請求項１】
頂板部と、頂板部周縁から降下した筒状側壁とを有し、該筒状側壁の内側に容器口部が嵌合固定されるキャップ本体；及び、
天板部と、天板部周縁から降下したスカート部とを有し、該スカート部の下端部が前記キャップ本体の筒状側壁の上端部分にヒンジ連結により連結され、前記キャップ本体に対して開閉可能となっている上蓋；
からなり、前記上蓋を閉じたとき、キャップ本体の頂板部上面の外周縁部と上蓋のスカート部の下端面とが対面するように構成されていると共に、前記キャップ本体の頂板部上面には、上蓋を閉じたときに上蓋のスカート部内面部分と係合し得る周状突起を有しているヒンジキャップにおいて、
前記上蓋のスカート部の外面の下方部分には、ヒンジ連結部とは反対側に位置する部分に外方に突出した突片が形成されており、該突片の下面には、開封明示用弾性部材が破断可能なブリッジにより連結されており、
前記開封明示用弾性部材は、互いに一体的に連なっている一対の係止ロッドからなっており、該係止ロッドは、それぞれ、下方に延びている基部と、該基部の下端に連なり且つ上方に向かって該基部から遠ざかるように延びている係止部とからなっており、
前記キャップ本体の筒状側壁の外面には、前記上蓋を閉じたときに前記開封明示用弾性部材が位置する部分に、該開封明示用弾性部材の降下は許容するが、該開封明示用弾性部材の係止部との係合により該上蓋を開放する際の該開封明示用弾性部材の上昇を規制し且つ前記上蓋から切り離された該開封明示用弾性部材を保持するための支持規制部材が設けられていることを特徴とするヒンジキャップ。
【請求項２】
前記支持規制部材は、前記筒状側壁の周方向に且つ該筒状側壁の外面とは間隔をおいて延びており、その両端部分が該筒状側壁の外面に連結されている規制ロッドと、該規制ロッドの中心部分から下方に延びて且つ該筒状側壁の外面に連結されている保持ロッドとから形成されており、
前記上蓋を閉じたときに、前記開封明示用弾性部材は、少なくとも前記係止ロッドの係止部が弾性変形して前記支持規制部材の規制ロッドと前記筒状側壁の外面との間の空間を通過し、
前記上蓋を開放したときには、前記開封明示用弾性部材は、前記係止ロッドが前記規制ロッドと係合することにより、その上昇が規制され、結果として、該開封明示用弾性部材が前記上蓋から切り離され、上蓋から切り離された該開封明示用弾性部材は、その一対の基部間が、前記支持規制部材の保持ロッド上に載ることにより、該支持規制部材によって保持される請求項１に記載のヒンジキャップ。
【請求項３】
前記上蓋の頂板部には、前記開封明示用弾性部材が連結されている突片の上方に位置する部分が、外方に張り出して開封用鍔が形成されている請求項１または２に記載のヒンジキャップ。
【発明の詳細な説明】
【技術分野】
【０００１】
本発明は、上蓋にタンパーエビデント性を持たせたヒンジキャップに関する。
【背景技術】
【０００２】
容器口部に装着されるキャップ本体に上蓋がヒンジ連結されたヒンジキャップは、例えば各種調味料が充填された容器のキャップとして、種々の用途に使用されている。また、各種容器のキャップには、一般に、いたずら防止や容器内容物の品質保証などのために、開封履歴機能、即ち、タンパーエビデント性（ＴＥ性）が要求される。一般のユーザーにとって、キャップが開封されていないという事実を認識できれば、ユーザーが商品を購入前に第三者がプルリングを引っ張ることによりスコアを破断し、その後、再び上蓋を閉じておくなどといった被害を回避することができるばかりか、容器内容物に関して、一定の品質が保証されるからである。
【０００３】
上記のようなヒンジキャップについて、例えば上蓋を開封したという事実を、上蓋が閉じられている状態から容易に認識し得るようなＴＥ性を持たせたものも種々提案されている。
【０００４】
例えば、特許文献１及び２には、上蓋が閉じられた状態において、開封用鍔の外周面を覆うような帯状カバーを設けたものであり、この帯状カバーは、破断可能な弱化線乃至スコアを介してキャップ本体の筒状側壁外面に連結されている。即ち、帯状カバーをキャップ本体の筒状側壁外面から引き剥がさない限り、閉じられた上蓋を開封することができず、開封用鍔の外周面が帯状部材によって覆われているため、この鍔を指等で引っ張り上げることができず、帯状部材の引き剥がしにより、上蓋を開放したという事実を認識できるようになっている。
【０００５】
また、特許文献３には、キャップ本体（蓋本体）に引き剥がし可能な上向きの弾性係合片が設けられ、キャップ本体にヒンジ連結されている上蓋の開封用鍔に左右一対のフック部が設けられたヒンジキャップが提案されている。このヒンジキャップでは、上蓋を閉じたときに、キャップ本体の弾性係合片が弾性変形して左右のフック部間の間隙に挿入され、挿入された状態では弾性係合片は元の形状に弾性復帰した形状となっており、上蓋を開封するときには、開封用鍔と共にフック部が上昇することにより、キャップ本体の弾性係合片ががっちりとフック部と係合し、この結果、弾性係合片は、上蓋（開封用鍔）と一体に上昇し、キャップ本体から引き剥がされることとなり、弾性係合片が引き剥がされていることにより、上蓋を開放したという事実を認識できるようになっている。
【先行技術文献】
【特許文献】
【０００６】
【特許文献１】特開２００４−１７５４３６
【特許文献２】特開２００５−２１２８１３
【特許文献３】特開２０００−１２８２１９
【発明の概要】
【発明が解決しようとする課題】
【０００７】
しかしながら、特許文献１，２で提案されているヒンジキャップは、上蓋を開放するためには、上蓋の開放に先立って、キャップ本体側に設けられている帯状カバーを引き剥がさなければならず、上蓋の開放作業が面倒であるという問題がある。
また、帯状カバーを引き剥がした状態のキャップが、使用者にはカバーを引き剥がしたことが認識し辛く、元々カバーがなかったものと認識してしまうおそれがある。
【０００８】
一方、特許文献３のヒンジキャップは、上蓋の開放に先立って格別の作業を必要とせず、そのまま上蓋を上方に引き上げればよいのであるが、この場合には、上蓋の開封明示性が不満足である。即ち、このヒンジキャップでは、開封された上蓋を、弾性係合片が保持されたまま再び閉じると、弾性係合片が切り離されずにキャップ本体に設けられた状態で上蓋が閉じられている初期状態と見分けが付き難く、一般の使用者は、弾性係合片が切り離されているにもかかわらず、弾性係合片が切り離されていないものと誤認してしまうおそれがある。
【０００９】
また、このヒンジキャップにおいては、上蓋を開封したとき、弾性係合片ががっちりと上蓋の開封用鍔（フック部）に係合しており、この弾性係合片を容易に開封用鍔から取り外すことができず、しかも、弾性係合片が開封用鍔に係合保持されている状態では、上蓋の開け閉めを行う操作がし辛いという問題もある。
【００１０】
従って、本発明の目的は、上蓋の開封に先立って格別の作業を必要とせず、そのまま上蓋の開封を行うことができ、しかも上蓋を開封した事実が明確に示されるヒンジキャップを提供することにある。
本発明の他の目的は、上蓋の開封後に、その開封事実を示す部材の取り外しを容易に行うことができ、さらには、上蓋の開封事実を示す部材が取り外されない状態においても、上蓋の開閉を格別の弊害なく行うことが可能なヒンジキャップを提供することにある。
【課題を解決するための手段】
【００１１】
本発明によれば、頂板部と、頂板部周縁から降下した筒状側壁とを有し、該筒状側壁の内側に容器口部が嵌合固定されるキャップ本体；及び、
天板部と、天板部周縁から降下したスカート部とを有し、該スカート部の下端部が前記キャップ本体の筒状側壁の上端部分にヒンジ連結により連結され、前記キャップ本体に対して開閉可能となっている上蓋；
からなり、前記上蓋を閉じたとき、キャップ本体の頂板部上面の外周縁部と上蓋のスカート部の下端面とが対面するように構成されていると共に、前記キャップ本体の頂板部上面には、上蓋を閉じたときに上蓋のスカート部内面部分と係合し得る周状突起を有しているヒンジキャップにおいて、
前記上蓋のスカート部の外面の下方部分には、ヒンジ連結部とは反対側に位置する部分に外方に突出した突片が形成されており、該突片の下面には、開封明示用弾性部材が破断可能なブリッジにより連結されており、
前記開封明示用弾性部材は、互いに一体的に連なっている一対の係止ロッドからなっており、該係止ロッドは、それぞれ、下方に延びている基部と、該基部の下端に連なり且つ上方に向かって該基部から遠ざかるように延びている係止部とからなっており、
前記キャップ本体の筒状側壁の外面には、前記上蓋を閉じたときに前記開封明示用弾性部材が位置する部分に、該開封明示用弾性部材の降下は許容するが、該開封明示用弾性部材の係止部との係合により該上蓋を開放する際の該開封明示用弾性部材の上昇を規制し且つ前記上蓋から切り離された該開封明示用弾性部材を保持するための支持規制部材が設けられていることを特徴とするヒンジキャップが提供される。
【００１２】
本発明のヒンジキャップにおいては、
（１）前記支持規制部材は、前記筒状側壁の周方向に且つ該筒状側壁の外面とは間隔をおいて延びており、その両端部分が該筒状側壁の外面に連結されている規制ロッドと、該規制ロッドの中心部分から下方に延びて且つ該筒状側壁の外面に連結されている保持ロッドとから形成されており、前記上蓋を閉じたときに、前記開封明示用弾性部材は、少なくとも前記係止ロッドの係止部が弾性変形して前記支持規制部材の規制ロッドと前記筒状側壁の外面との間の空間を通過し、前記上蓋を開放したときには、前記開封明示用弾性部材は、前記係止ロッドが前記規制ロッドと係合することにより、その上昇が規制され、結果として、該開封明示用弾性部材が前記上蓋から切り離され、上蓋から切り離された該開封明示用弾性部材は、その一対の基部間が、前記支持規制部材の保持ロッド上に載ることにより、該支持規制部材によって保持されること、
（２）前記上蓋の頂板部には、前記開封明示用弾性部材が連結されている突片の上方に位置する部分が、外方に張り出して開封用鍔が形成されていること、
が好適である。
【発明の効果】
【００１３】
本発明のヒンジキャップにおいては、キャップ本体にヒンジ連結により連結されている上蓋に、上蓋の開封を明示する開封明示用弾性部材が設けられており、キャップ本体には、この開封明示用弾性部材の上昇を規制し且つ上蓋から切り離された開封明示用弾性部材を保持するための支持規制部材が設けられている。即ち、閉じられている上蓋を開放すると、この開封明示用弾性部材は、その上昇が支持規制部材（例えば規制ロッド）によって規制され、この結果、上蓋から切り離されることとなる。即ち、開封明示用弾性部材が上蓋から切り離されているという状態を見て、一般の使用者は、上蓋が開封されたという事実を認識することができるのであり、従って、優れたタンパーエビデント性（ＴＥ性）を示す。また、上蓋から切り離された開封明示用弾性部材は、キャップ本体の支持規制部材（例えば保持ロッド）によって脱落しないように保持されているが、この状態で開放された上蓋をそのまま閉じたとしても、切り離されている開封明示用弾性部材は、上蓋から離れた状態にあることが外部から明確に視認することができるため、一般に使用者は、上蓋が開封されたという事実を誤認せず、確実に認識することができ、優れたＴＥ性を確保することができる。
【００１４】
上記のような開封明示用部材の上蓋からの切り離しは、上蓋の開放にしたがって自動的に行われるのであり、上蓋の開封を明示するために、上蓋の開封に先立って格別の作業を必要としない。
【００１５】
また、開封明示用弾性部材は、上蓋から切り離されて支持規制部材によって保持されているため、キャップ本体側に存在し、上蓋から離れているため、その後の上蓋の開閉動作を阻害することもない。
【図面の簡単な説明】
【００１６】
【図１】本発明のヒンジキャップを、上蓋が開封された状態での側面断面を示す図である。
【図２】図１の状態のヒンジキャップの上面図である。
【図３】図１の状態のヒンジキャップの底面図である。
【図４】図１のヒンジキャップの右側面図である。
【図５】図１のヒンジキャップの左側面図である。
【図６】図１のヒンジキャップについて、上蓋の閉栓過程での開封明示用部材と支持規制部材との相互関係を示す側面図である。
【図７】図１のヒンジキャップについて、閉じられている上蓋を開放するときの開封明示用部材と支持規制部材との相互関係を示す側面図である。
【図８】図１のヒンジキャップについて、一端開放された上蓋を再び閉じたときの開封明示用部材の状態を示す側面図である。
【発明を実施するための形態】
【００１７】
図１乃至図３を参照して、このヒンジキャップは、キャップ本体１と上蓋２とから成り、キャップ本体１は、大まかに言って、頂板部５と、頂板部５の周縁部から垂下している筒状側壁６とから構成されている。
【００１８】
筒状側壁６の下端の内面には、係止部７が形成されていると共に、頂板部５の内面には、筒状側壁６とは間隔を置いて下方に延びているインナーリング９が形成されている。即ち、このインナーリング９と筒状側壁６との間の空間に容器口部（図示せず）が嵌め込まれることにより、キャップ本体１は、容器口部に装着され、上記の係止部７により容器口部はしっかりと固定される。
【００１９】
尚、係止部７には、周方向に適当な間隔をおいて切欠き７ａが形成されており、このような切欠き７ａにより、係止部７の可撓性が高められ、容器口部との係合性が高められると共に、キャップを容器口部から取り外す際の取り外し易さを向上している。
【００２０】
また、頂板部５には、注出用開口を形成するためのスコア１０が形成されており、頂板部５の上面側には、スコア破断用のプルリング１２が支柱１１を介して設けられている。即ち、このプルリング１２を引っ張ることにより、スコア１０が破断し、内容物を注ぎ出すための開口が頂板部５に形成されるようになっている。
【００２１】
さらに、頂板部５の上面側には、スコア１０を取り囲むようにして、注出液案内用の筒状突起１４が形成されており、注出用開口を介して注ぎ出された内容液は、この筒状突起１４によって案内される。この筒状突起１４の上端は、ラッパ状に広がって液の排出をスムーズに行い得るようになっており、また、図１に示されているように、後述する上蓋２とのヒンジ連結部２５側において、筒状突起１４の背が低く形成され、上蓋２を閉じるときに上蓋２の天板部内面に形成されているシール用周状突起（後述する）の旋回を妨害しないように構成されている。また、筒状突起１４の外側には、上蓋２を保持するための周状突起１６が形成されている。
【００２２】
また、キャップ本体１の筒状側壁６のヒンジ連結部２５側の約半周部分は、上端から下方に延びている弧状スリット２０により、内側壁６ａと外側壁６ｂとに分断されており、内側壁６ａと外側壁６ｂとが下端で連なった二重壁構造が形成されている。このような二重壁構造は、容器内容液注出後のキャップ本体１を容器口部から容易に取り外せるように形成されているものである。
【００２３】
上蓋２は、キャップ本体１の筒状側壁６（特にスリット２０によって形成されている外側壁６ｂ）の上端部分にヒンジ連結されている。このヒンジ連結部が２５で示されており、図２から理解されるように、中央の幅広のバンド部２５ａと、その両側の小幅のバンド部２５ｂ、２５ｂから形成されている。
【００２４】
さらに、上記ヒンジ連結部２５の近傍には、外側壁６ｂに、その上端から下端乃至その近傍まで延びている軸方向スコア３０，３０が形成され（図２参照）、また、図示されていないが、内側壁６ａにも、軸方向スコア３０，３０に対応するように、下端から上方に延びている内側スコアが形成されている。即ち、上蓋２を開栓した状態で下方に引き降ろすことにより、上記スコア３０，３０が引き裂かれ、外側壁６ｂが破断し、次に上方に引き上げることにより、内側壁６ａのスコアが破断するため、キャップ本体１を、格別の工具を用いることなく、容器口部から取り外すことが可能となる。
【００２５】
上記のようにキャップ本体１にヒンジ連結されている上蓋２は、天板部３２と、天板部３２の周縁から延びているスカート部３４とから形成されている。
【００２６】
天板部３２においては、そのヒンジ連結部２５とは反対側の部分が外方に張り出して開封用鍔３５が形成されており、この開封用鍔３５を持って上蓋２の開閉が行われるようになっている。
【００２７】
天板部３２の内面には、シール用の周状突起３６が形成されている。即ち、上蓋２を旋回して閉じたとき、シール用の周状突起３６が注出液案内用の筒状突起１４の内面に密着し、この密着により、スコア１０を破断しての注出用開口形成後のシール性が確保される。
【００２８】
また、天板部３２の内面には、上記の周状突起３６の外側であって、ヒンジ連結部２５側に弧状突起３７が設けられている。この弧状突起３７は、シール用周状突起３６よりも若干長く形成されている。即ち、このような弧状突起３７を形成しておくことにより、生産ライン或いは販売過程等で、閉じられた上蓋に偶発的に上方から押圧力が加えられたとき、この弧状突起３７がキャップ本体１の頂板部５の上面に当接し、シール用の周状突起３６が深く食い込んでスコア１０を破断する等の不都合を有効に防止し得るようになっている。
【００２９】
また、上蓋２のスカート部３４の内面下方部分には、凹部３９が形成されており、前述した周状突起１６の上端の突部１６ａが、この凹部３９と係合することにより、閉じられた上蓋２が安定に保持されるようになっている。
【００３０】
さらに、上蓋２のスカート部３４の下端面には、ヒンジ連結部２５とは反対側に位置する部分を除き、液飛び防止用の小突起４０が形成されている。即ち、上蓋を開封し、スコア１０を引き裂いて内容液注出用開口を形成し、この開口を通して内容液の注ぎ出しが行われるわけであるが、この注ぎ出しは、当然、上蓋が邪魔にならないように、ヒンジ連結部２５とは反対側部分で行われる。従って、ヒンジ連結部２５とは反対側の部分では、キャップ本体１の頂板部５の周縁部に注ぎ出された内容液は、垂れ等により付着している場合が多い。このような状態で上蓋２を閉じると、スカート部３４の下端面の密着により、付着している内容液が弾き飛ばされ、周囲を汚染してしまうという不都合を生じる。しかるに、上記のように液飛び防止用の小突起４０を形成しておくと、上蓋２を閉じたとき、ヒンジ連結部２５とは反対側の部分において、スカート部３４の下端面とキャップ本体１の頂板部５の上面周縁部との間に隙間が形成されることとなり、これにより、付着して内容液の液飛びを有効に防止することが可能となるのである。
【００３１】
上記のような構造を有するヒンジキャップにおいて、本発明では、上蓋２のスカート部３４の下端部分であってヒンジ連結部２５とは反対側の部分（即ち、前述した開封用鍔３５の下方位置部分）に、水平方向に張り出した突片４５が設けられ、突片４５の下面に開封明示用弾性部材５０が設けられている。さらに、キャップ本体１の筒状側壁６の外面には、ヒンジ連結部２５とは反対側部分に、上記のような開封明示用弾性部材に対応して、支持規制部材５１が設けられている。
尚、上述した図１乃至図３及び以下に述べる図４及び図５では、上蓋２が開放されており、反転した状態で示されているため、上下関係は逆転していることに留意されたい。
【００３２】
即ち、図４及び図５を参照して、開封明示用弾性部材５０は、一対の係止ロッド５３，５３からなっており、この係止ロッド５３，５３は水平連結部５５によって一体に連なっていると共に、各係止ロッド５３は、それぞれ、下方（図では上方）に向かって互いに遠ざかる方向に傾斜して延びている基部５３ａと、基部５３ａの下端に湾曲して連なり且つ上方に向かって基部５３ａから遠ざかるように延びている係止部５３ｂとからなっている。
また、この開封明示用弾性部材５０は、上記の係止ロッド５３を連結している水平連結部５５の上面（図では下面）が破断可能なブリッジ５７により、突片４５の下面に連結されている。
【００３３】
上記のような開封明示用弾性部材５０の形状から理解されるように、係止ロッド５３、５３は互いに近づく方向及び互いに遠ざかる方向に弾性変形し得るように形成されている。
【００３４】
一方、キャップ本体１側に設けられている支持規制部材５１は、規制ロッド６０と保持ロッド６１とからなっている。
この規制ロッド６０は、キャップ１の筒状側壁６の周方向に且つ筒状側壁６の外面とは間隔をおいて延びており、且つ両端部分で径方向に延びて筒状側壁６の外面に連なっている。また、保持ロッド６１は、規制ロッド６０の周方向中心部分から下方（図では上方）に延びており、下端部分で径方向に延びて筒状側壁６の外面に連なっている。
【００３５】
本発明では、上記のような規制ロッド６０と保持ロッド６１とからなる支持規制部材５１を設けることにより、上蓋２を閉じた時に、前述した形状の開封明示用弾性部材５０が支持規制部材５１が形成する空間内に入り込み、上蓋２を開放するときには、開封明示用弾性部材５０の上昇が規制され、この結果、ブリッジ５７が破断して開封明示用弾性部材５０が上蓋２（突片４５）から切り離され、切り離された開封明示用弾性部材５０は脱落しないように保持ロッド６１に保持されるのである。
【００３６】
即ち、図６（ａ）に示されているように、上蓋２を閉じていくと、開封明示用弾性部材５０の係止ロッド５３，５３の下端部分が、規制ロッド６０が形成している空間内に入り込み、規制ロッド６０の両端部分により押圧され、係止ロッド５３，５３（基部５３ａ，５３ａ及び係止部５３ｂ，５３ｂ）は互いに閉じるように弾性変形して下方に押し込まれて侵入していく。このようにして上蓋２が完全に閉じられると、図６（ｂ）に示されているように、係止ロッド５３の係止部５３ｂは規制ロッド６０を通過し、その押圧力から開放され、元の広がった形状に弾性復帰することとなる。
このようにして上蓋２が閉じられた状態で、このヒンジキャップは内容液が充填されている容器の口部７０に装着され（図６（ｂ）参照）、販売に供される。
【００３７】
上記のように上蓋２が閉じられて容器の口部７０に装着されているヒンジキャップにおいて、上蓋２を開放とすると、図７に示されているように、開封明示用弾性部材５０の係止ロッド５３の係止部５３ｂは広がった形状を有しているため、その上昇に伴い、係止部５３ｂの両端部上面が規制ロッド６０の両端部分下面に当接し、この結果、開封明示用弾性部材５０の上昇が規制され、従って、上蓋２を開放することによって、開封明示用弾性部材５０を繋いでいるブリッジ５７が破断し、開封明示用弾性部材５０は、上蓋２（突片４５）から切り離され、切り離された開封明示用弾性部材５０は落下するが、各基部５３ａ間が保持ロッド６１により支持され、その脱落が防止される。
【００３８】
即ち、一端開放された上蓋２を再び閉じると、図８に示されているように、切り離された開封明示用弾性部材５０は、その係止ロッド５３，５３の基部５３ａ，５３ａを連結している水平連結部５５が保持ロッド６１上に載置することにより支持され、その脱落が防止されている。従って、一般の使用者は、開封明示用弾性部材５０が上蓋２の突片４５から切り離されて落下して保持されている状態を見て、上蓋２が開封された事実を認識することができるのである。この場合、落下して保持されている開封明示用弾性部材５０と突片４５との間隔が大きいほど、一般の使用者は、開封明示用弾性部材５０が切り離されていることを、誤認することなく、明確に認識することができる。また、保持ロッド６１の上下方向の長さが長すぎると、落下した開封明示用弾性部材５０が規制ロッド６０から取り外し易くなり、タンパーエビデント性の点から好ましくない。
【００３９】
また、上述した本発明において、図４及び図６に明示されているように、突片４５の両端部分の下面に足部４５ａ，４５ａを形成し、上蓋２を閉じて開封明示用弾性部材５０の係止ロッド５３の下方部分が弾性変形して規制ロッド６０が形成する空間内を通過するように押し込まれたときに、足部４５ａの先端が係止ロッド５３（係止部５３ｂ）の先端部分に当接するような構造とすることが望ましい。このような構造とすることにより、開封明示用弾性部材６０が、規制ロッド６０が形成する空間内を通過する際にブリッジ５７への応力集中が緩和され、この段階でのブリッジ５７の破断、即ち、開封明示用弾性部材５０の切り離しを効果的に防止し、製品不良の発生を抑制することができる。
【００４０】
さらに、上記のような構造では、開封明示用弾性部材５０は、保持ロッド６１に保持されていても、上蓋２の開閉には、何らの支障もない。即ち、上蓋２から切り離されているばかりか、上蓋２の開閉は、切り離された開封明示用弾性部材５０から離れている上蓋２の上方部分に形成された開封用鍔３５を持って行われるからである。
【００４１】
本発明において、上述した支持規制部材５１を形成している規制ロッド６０の大きさは、開封明示用弾性部材５０の形状に応じて、該規制ロッド６０が形成する空間内を開封明示用弾性部材５０が弾性変形して通過し、且つこの空間を通過した開封明示用弾性部材５０の係止ロッド５３の下方部分が弾性復帰したときには、該規制ロッド６０と係合して、その上昇が規制されるような大きさに設定される。
【００４２】
また、支持規制部材５１を形成している保持ロッド６１の大きさ（特に軸方向長さ）は、上蓋２の開封を明示するＴＥ性を考慮して設定される。即ち、この保持ロッド６１の軸方向長さが大きくなると、切り離された開封明示用弾性部材５０が支持規制部材５１から容易に離脱してしまうこととなり、この開封明示用弾性部材５０が最初からなかったものと認識されてしまい、ＴＥ性が十分に発揮されなくなるおそれがある。また、保持ロッド６１の軸方向長さが短すぎると、上蓋２に形成されている突片４５との間隔が短くなるため、切り離されている開封明示用弾性部材５０が切り離されていないものと誤認されるおそれがある。従って、このような誤認を確実に防止でき、十分なＴＥ性が発揮される程度の大きさに設定するのがよい。
【００４３】
さらに、本発明においては、種々の設計変更が可能であり、例えば、開封明示用弾性部材５０を形成している係止ロッド５３の基部５３ａは、必ずしも裾拡がりの状態で下方に傾斜して延びている必要は無い。即ち、少なくとも係止部５３ｂが弾性変形して規制ロッド６０が形成する空間内を通過し、この空間を通過した係止部５３ｂが弾性復帰し、その上昇が規制ロッド６０により規制される限りにおいて、基部５３ａが鉛直方向に延びており、上記空間を通過する際に基部５３ａが弾性変形しないような形態とすることもできるし、水平連結部５５の厚みを厚くして、基部５３ａの長さを短くすることもできる。
【００４４】
また、天板部３２に開封用鍔４０を形成せず、前述した開封明示用弾性部材５０を支持している突片４５を、開封用鍔として兼用することもできる。
さらには、分別廃棄性の観点から、キャップ本体１の筒状側壁６の半周以上、特に全周にわたってスリット２０を形成することもできるし、さらに、スリット２０により形成された外側壁６ｂに周方向に延びているスコアを設け、上蓋２を持って周方向スコアを破断し、外側壁６ｂを引き裂くことによりキャップ本体１と容器口部との嵌合力を低下させて、キャップ本体１を容器口部から取り外すようにして分別廃棄性を高めるなど、公知の手段を採用し得る。
【符号の説明】
【００４５】
１：キャップ本体
２：上蓋
５：頂板部
４０：開封用鍔
４５：突片
５０：開封明示用弾性部材
５１：支持規制部材
５３：係止ロッド
５３ａ：基部
５３ｂ：係止部
５５：連結部
５７：ブリッジ
６０：規制ロッド
６１：保持ロッド
【図１】
2010235146.tif 000003
【図２】
2010235146.tif 000004
【図３】
2010235146.tif 000005
【図４】
2010235146.tif 000006
【図５】
2010235146.tif 000007
【図６】
2010235146.tif 000008
【図７】
2010235146.tif 000009
【図８】
2010235146.tif 000010